(57)【要約】      （修正有）【課題】建築用スラリー状物を、機械的かつ自動的に生成できる建築用スラリー状物供給装置を提供すること。【解決手段】施工現場で用いる天端レベリング材やモルタル等の建築用スラリー状物供給装置は、材料２１が投入される撹拌槽１１と、この撹拌槽１１の底壁１２に設けた撹拌機１３とを備え、スラリー状物混練後、直ちに施工場所にこれを搬送する。【選択図】図１
2009041330.tif 000002
【特許請求の範囲】
【請求項１】
天端レベリング材やモルタル等の建築用スラリー状物となる材料が投入される撹拌槽と、この撹拌槽の底壁に設けた撹拌機とを備えたことを特徴とする建築用スラリー状物供給装置。
【請求項２】
前記底壁に取出口を設けたことを特徴とする請求項１に記載の建築用スラリー状物供給装置。
【請求項３】
前記底壁を、前記取出口に向けて下方に傾斜させたことを特徴とする請求項２に記載の建築用スラリー状物供給装置。
【請求項４】
天端レベリング材やモルタル等の建築用スラリー状物となる材料が投入される撹拌槽と、この撹拌槽の底壁に設けた撹拌機と、撹拌された前記建築用スラリー状物を外部へ圧送する圧送機と、この圧送機に接続されて前記建築用スラリー状物を所定箇所に送り出すホースとを備えたことを特徴とする建築用スラリー状物供給装置。
【請求項５】
前記底壁に、前記圧送機に繋がる取出口を設けたことを特徴とする請求項４に記載の建築用スラリー状物供給装置。
【請求項６】
前記底壁を、前記取出口に向けて下方に傾斜させたことを特徴とする請求項５に記載の建築用スラリー状物供給装置。
【請求項７】
前記取出口と圧送機、この圧送機と前記ホース、またはこのホースと別のホースとの接続を、両者間に、建築用スラリー状物の流動方向に対して小口径となる段差が生じないようにしたことを特徴とする請求項５または請求項６のいずれかに記載の建築用スラリー状物供給装置。
【発明の詳細な説明】
【技術分野】
【０００１】
本発明は、天端レベリング材やモルタルのような建築用のスラリー状物を、施工箇所に供給する装置に関するものである。
【背景技術】
【０００２】
建築現場においては、天端レベリング材やモルタルのような建築用のスラリー状物を使用して、基礎コンクリートなどの表面仕上げがなされている。例えば、ベタ基礎や布基礎等の基礎は、その完成後の表面が完全な水平面を有していなければならないから、従来より一般に行われていた基礎施工では、コンクリート等で大まかな基礎を形成しておいて、モルタルを使用したコテ作業による均しや、図１５に示すような、天端レベリング材の流し込みによって基礎の上面を水平状にすることがなされていた。
【０００３】
しかし、このようなコテ作業や流し込みは、非常に手間も時間も掛かるだけでなく、これらの天端レベリング材やモルタルはスラリー状になっているため、その生成箇所から施工箇所への運搬や搬送は困難な作業となっていた。
【０００４】
しかも、これらの天端レベリング材やモルタルのような建築用のスラリー状物は、固化や変化し易いものであるため、施工現場において生成し、生成後直ちに施工しなければならないものが多い。特に、天端レベリング材は、流し込んで水平を形成するものであるため所定の流動性が必要なものであり、この流動性は時間が経つと少なくなるから、その生成と施工は短時間内に行わなければならない。
【０００５】
以上のように、天端レベリング材やモルタルのような建築用のスラリー状物は、人の手によって生成したり搬送したりすることが困難であることから、本発明者等が機械的かつ自動的に生成が行えるものがないかと種々検討したが、特にそのような要望に応えることのできる技術は存在していなかった。
【発明の開示】
【発明が解決しようとする課題】
【０００６】
そこで、本発明者等は、天端レベリング材やモルタルのような建築用のスラリー状物を、機械的かつ自動的に生成が行えるようにするにはどうしたらよいか、について種々検討を重ねてきた結果、本発明を完成したのである。
【０００７】
すなわち、本発明の目的とするところは、まず、建築用スラリー状物を、機械的かつ自動的に生成できる建築用スラリー状物供給装置を提供することにある。
【０００８】
さらに、本発明の他に目的とするところは、建築用スラリー状物を、機械的かつ自動的に生成できることは勿論のこと、生成後短時間内に施工場所への搬送も行うことができる建築用スラリー状物供給装置を提供することにある。
【課題を解決するための手段】
【０００９】
以上の課題を解決するために、まず、請求項１に係る発明の採った手段は、後述する最良形態の説明中で使用する符号を付して説明すると、
「天端レベリング材やモルタル等の建築用スラリー状物２０となる材料２１が投入される撹拌槽１１と、この撹拌槽１１の底壁１２に設けた撹拌機１３とを備えたことを特徴とする建築用スラリー状物供給装置１０」
である。
【００１０】
すなわち、この請求項１に係る建築用スラリー状物供給装置１０は、図１に示すように、外見上は単なるドラム缶状の容器である撹拌槽１１を有している。この撹拌槽１１の内部には、図１〜図６に示すように、撹拌機１３が底壁１２の下側に配置してあり、撹拌機１３は、撹拌槽１１内で建築用スラリー状物２０を生成するものである。
【００１１】
つまり、この建築用スラリー状物供給装置１０は、図１及び２に示すように、まず撹拌槽１１内に水を入れておき、この水の中に建築用スラリー状物２０とすべき材料を撹拌槽１１内に投入しながら、撹拌機１３を作動させるのである。
【００１２】
これにより、撹拌槽１１内の羽根１３ａによって各材料が均等に混ざり合わされて、水中に各材料２１がった建築用スラリー状物２０が簡単に生成される。この建築用スラリー状物２０の生成の従来の方法では、作業者の経験と勘を頼りに手で行っていたのであるが、当該建築用スラリー状物供給装置１０を使用すれば、そのような熟練を要することなく、建築用スラリー状物２０を簡単に生成できるのである。
【００１３】
この場合、撹拌機１３としては、撹拌槽１１内にて回転する羽根１３ａを有して、この羽根１３ａを外側のモータ等によって回転駆動するものである。この撹拌機１３の羽根１３ａは、単なる棒を放射状に設けたものや、表面に波状凹凸を有する円板であればよく、要するに、建築用スラリー状物２０の材料２１を撹拌できるものであれば何であってもよい。
【００１４】
以上の結果、建築用スラリー状物供給装置１０を使用すれば、建築用スラリー状物２０を簡単かつ均等に生成できるのである。この建築用スラリー状物２０が、基礎コンクリート３０上に水平面を形成するための「セルフレベリング材」である場合には、自らが流れて水平面を形成するための十分な「流動性」が必要なのであるが、この建築用スラリー状物供給装置１０を使用すれば、撹拌槽１１内にて生成した建築用スラリー状物２０を均等なものとして基礎コンクリート３０上に供給できるのであるから、打設された建築用スラリー状物２０に流動性の変化はなく、「セルフレベリング材」としての機能を十分発揮させ得るのである。
【００１５】
従って、この請求項１の建築用スラリー状物供給装置１０は、手作業によって生成したものに比較すれば、建築用スラリー状物２０を、機械的かつ自動的に、しかも非常に均質なものとして生成できるものとなっているのである。
【００１６】
上記課題を解決するために、請求項２に係る発明の採った手段は、上記請求項１に記載の建築用スラリー状物供給装置１０について、
「底壁１２に取出口１６を設けたこと」
である。
【００１７】
すなわち、この請求項２の建築用スラリー状物供給装置１０では、図２〜図６に示すように、底壁１２に取出口１６を設けたものである。このように、底壁１２に取出口１６を設けたことによって、当該建築用スラリー状物供給装置１０の撹拌槽１１内にて生成された均質な建築用スラリー状物２０を、取出口１６から直ちに外部に取り出せる。
【００１８】
また、底壁１２取出口１６を設けた場合、撹拌槽１１内に生成された建築用スラリー状物２０の量が少なったときに、図３及び図４に示すように、当該撹拌槽１１を取出口１６側に向けて傾斜させてやれば、取出口１６の周囲に最後の建築用スラリー状物２０まで集中させることができるから、建築用スラリー状物２０の取り出しを最後のものまで行えることになるのである。
【００１９】
従って、この請求項２に係る建築用スラリー状物供給装置１０は、上記請求項１のそれと同様な機能を発揮する他、建築用スラリー状物２０の取り出しを簡単に行えるものとなっている。
【００２０】
さらに、請求項３に係る発明の採った手段は、上記請求項２に記載の建築用スラリー状物供給装置１０について、
「底壁１２を、取出口１６に向けて下方に傾斜させたこと」
である。
【００２１】
すなわち、この請求項３に係る建築用スラリー状物供給装置１０は、図３〜図６に示すように、底壁１２を、取出口１６に向けて下方に傾斜させたものである。この底壁１２を、取出口１６に向けて下方に傾斜させる方法としては、図３及び図４に示すように、撹拌槽１１に対して底壁１２を直交状態で設けておいて、この撹拌槽１１の全体を支持台１７に傾斜状態で支持させ、結果として底壁１２が水平に対して傾斜するようにする方法と、図５及び図６に示すように、撹拌槽１１に対して底壁１２を最初から斜めに取り付けておく方法との二種類がある。
【００２２】
図３に示す例では、撹拌槽１１の取出口１６とは反対側になる部分の下側に配置される小さい支持台１７を使用するものであるが、この支持台１７は、傾斜させた撹拌槽１１の下側に置く「枕」のようなものである。図４に示す例では、図３に示した支持台１７を大きくして、撹拌槽１１の全体を傾斜状態で支持できるようにしたものである。これら図３及び図４に示した例では、底壁１２を撹拌槽１１に対して直交状態で取り付ければよいから、支持台１７を用意するという簡単なことで、底壁１２を傾斜状態にできる。
【００２３】
図５に示す例は、底壁１２を撹拌槽１１に対して傾斜状態で固定するようにしたもので、取出口１６はこの底壁１２の最下端に位置するようにしてある。そして、図６では、取出口１６を中央に設けたものを例示しているから、底壁１２は中央に向けて「ロート」状になっているものである。
【００２４】
このように、底壁１２を取出口１６に向けて下方に傾斜させたものとすれば、撹拌槽１１内の建築用スラリー状物２０は、撹拌槽１１全体を傾けなくても、最後のものまで取出口１６に送られることになる。
【００２５】
従って、この請求項３の建築用スラリー状物供給装置１０は、請求項２のそれと同様な機能を発揮する他、最後の建築用スラリー状物２０まで取り出しが簡単に行えるものとなっているのである。
【００２６】
以上の課題を解決するために、請求項４に係る発明の採った手段は、後述する最良形態の説明中で使用する符号を付して説明すると、
「天端レベリング材やモルタル等の建築用スラリー状物２０となる材料２１が投入される撹拌槽１１と、この撹拌槽１１の底壁１２に設けた撹拌機１３と、撹拌された建築用スラリー状物２０を外部へ圧送する圧送機１４と、この圧送機１４に接続されて建築用スラリー状物２０を所定箇所に送り出すホース１５とを備えたことを特徴とする建築用スラリー状物供給装置１０」
である。
【００２７】
すなわち、この請求項４に係る建築用スラリー状物供給装置１０は、図７に示すように、外見上は単なるドラム缶状の容器である撹拌槽１１を有している。この撹拌槽１１の内部には、図８に示すように、撹拌機１３と圧送機１４とが底壁１２の下側に配置してあり、撹拌機１３は、撹拌槽１１内で建築用スラリー状物２０を生成し、圧送機１４は生成された建築用スラリー状物２０をホース１５から施工場所に圧送するものである。
【００２８】
つまり、この建築用スラリー状物供給装置１０は、図８に示すように、建築用スラリー状物２０とすべき材料を撹拌槽１１内に投入するとともに、撹拌機１３を作動させることにより、各材料が均等に混ざり合った建築用スラリー状物２０が簡単に生成される。この建築用スラリー状物２０の生成の従来の方法では、作業者の経験と勘を頼りに手で行っていたのであるが、当該建築用スラリー状物供給装置１０を使用すれば、そのような熟練を要することなく、建築用スラリー状物２０を簡単に生成できるのである。
【００２９】
この場合、撹拌機１３としては、撹拌槽１１内にて回転する羽根１３ａを有して、この羽根１３ａを外側のモータ等によって回転駆動するものである。この撹拌機１３の羽根１３ａは、単なる棒を放射状に設けたものや、表面に波状凹凸を有する円板であればよく、要するに、建築用スラリー状物２０の材料２１を撹拌できるものであれば何であってもよい。また、圧送機１４としては、材料２１として砂が採用されることもあることから、所謂スクリューコンベアタイプのものでも、所謂チューブポンプであってもよいものである。
【００３０】
なお、圧送機１４は、底壁１２に設けるように実施してもよいが、図８に示すように、撹拌槽１１の内面に設けてもよいものである。また、この圧送機１４は、撹拌槽１１内にて生成された建築用スラリー状物２０を施工場所にまで圧送するものであるから、撹拌槽１１の外面に取り付けたり、図１０や図１１に示すような支持台１７に取り付けたり、さらには撹拌槽１１の上縁に掛けたりしたものであってもよく、その場合には、吸引側のホースを撹拌槽１１内に収納すればよい。勿論、この場合でも、当該圧送機１４の出口側にホース１５を接続しておくことはいうまでもない。
【００３１】
建築用スラリー状物２０が生成できた後に圧送機１４を作動させることにより、当該建築用スラリー状物供給装置１０から延びるホース１５によって、建築用スラリー状物２０は、例えば図７や図１４に示す基礎コンクリート３０上に零れ出ることなく供給され、建築用スラリー状物供給装置１０から基礎コンクリート３０上に効率良く供給される。
【００３２】
つまり、従来では、図１４に示すように、できた建築用スラリー状物２０を基礎コンクリート３０上に手作業で打設するようにしていたため、打設先にある邪魔物を避けたり垂れ落ちないように注意を払わなければならなかったのであるが、本発明に係る建築用スラリー状物供給装置１０では、ホース１５の先を打設先に移動させるだけで、簡単に左折先に供給でき、建築用スラリー状物２０が垂れ落ちることもないのである。
【００３３】
また、この建築用スラリー状物供給装置１０を使用すれば、建築用スラリー状物２０は、生成された後直ちに打設場所に供給できるから、その流動性に変化を生ずることはない。この建築用スラリー状物２０が、基礎コンクリート３０上に水平面を形成するための「セルフレベリング材」である場合には、自らが流れて水平面を形成するための十分な「流動性」が必要なのであるが、この建築用スラリー状物供給装置１０を使用すれば、撹拌槽１１内にて生成した建築用スラリー状物２０を硬化する前に直ちにホース１５によって基礎コンクリート３０上に供給できるのであるから、打設された建築用スラリー状物２０に流動性の変化はなく、「セルフレベリング材」としての機能を十分発揮させ得るのである。
【００３４】
以上のような建築用スラリー状物２０の生成と施工場所への供給（打設）が終了すれば、この建築用スラリー状物２０を構成している撹拌槽１１、圧送機１４及びホース１５内を洗浄しなければならないが、その場合には、撹拌槽１１内に水を入れて圧送機１４や圧送機１４を作動させれば、これらの各部の洗浄は簡単に行える。入れた水が、撹拌槽１１内にて送出口１４ａによって撹拌されるから撹拌槽１１内の洗浄が行なわれるだけでなく、圧送機１４によって送り出されることにより、圧送機１４やホース１５内の洗浄が自動的になされるからである。
【００３５】
なお、撹拌槽１１内にて生成した建築用スラリー状物２０をホース１５によって基礎コンクリート３０上に供給していけば、撹拌槽１１内の建築用スラリー状物２０は段々と少なくなり、撹拌機１３の羽根１３ａが空回りしそうになるが、その場合には、図７中の仮想線、及び図９に示すように、後述する取出口１６ができるだけ下側になるように、撹拌槽１１を傾斜させればよい。そうすれば、撹拌槽１１内の建築用スラリー状物２０の全てをホース１５によって基礎コンクリート３０上に供給できる。
【００３６】
従って、この請求項４の建築用スラリー状物供給装置１０は、建築用スラリー状物２０を、機械的かつ自動的に生成できるだけでなく、生成後短時間内に施工場所への搬送も行うことができるものとなっているのである。
【００３７】
上記課題を解決するために、請求項５に係る発明の採った手段は、上記請求項４に記載の建築用スラリー状物供給装置１０について、
「底壁１２に、圧送機１４に繋がる取出口１６を設けたこと」
である。
【００３８】
すなわち、この請求項５の建築用スラリー状物供給装置１０では、図８にも示すように、底壁１２に、圧送機１４に繋がる取出口１６を設けたものであり、当然、この取出口１６には圧送機１４の吸引口が接続されるものである。このように、底壁１２に圧送機１４に繋がる取出口１６を設けたことによって、当該建築用スラリー状物供給装置１０の撹拌槽１１内にて生成された建築用スラリー状物２０が、最後まで完全に圧送機１４側に送られる。
【００３９】
また、底壁１２に圧送機１４に繋がる取出口１６を設けた場合、撹拌槽１１内に生成された建築用スラリー状物２０の量が少なったときに、図７中の仮想線及び図９に示すように、当該撹拌槽１１を取出口１６側に向けて傾斜させてやれば、取出口１６の周囲に最後の建築用スラリー状物２０まで集中させることができるから、圧送機１４による建築用スラリー状物２０の圧送を最後のものまで行えることになるのである。
【００４０】
さらに、底壁１２に圧送機１４に繋がる取出口１６を設けた場合、図８に示すように、この取出口１６に圧送機１４を近接して設けて、この圧送機１４の吸引口と取出口１６とを短い距離で接続することができるし、このことによって、当該建築用スラリー状物供給装置１０全体の構成をコンパクトにすることができることになる。
【００４１】
従って、この請求項５に係る建築用スラリー状物供給装置１０は、上記請求項４のそれと同様な機能を発揮する他、全体の構成をコンパクトにし得るものとなっている。
【００４２】
さらに、請求項６に係る発明の採った手段は、上記請求項５に記載の建築用スラリー状物供給装置１０について、
「底壁１２を、取出口１６に向けて下方に傾斜させたこと」
である。
【００４３】
すなわち、この請求項６に係る建築用スラリー状物供給装置１０は、図１０〜図１３に示すように、底壁１２を、取出口１６に向けて下方に傾斜させたものである。この底壁１２を、取出口１６に向けて下方に傾斜させる方法としては、図１０及び図１１に示すように、撹拌槽１１に対して底壁１２を直交状態で設けておいて、この撹拌槽１１の全体を支持台１７に傾斜状態で支持させ、結果として底壁１２が水平に対して傾斜するようにする方法と、図１２及び図１３に示すように、撹拌槽１１に対して底壁１２を最初から斜めに取り付けておく方法との二種類がある。
【００４４】
図１０に示す例では、撹拌槽１１の取出口１６とは反対側になる部分の下側に配置される小さい支持台１７を使用するものであるが、この支持台１７には圧送機１４を設けておくとよい。つまり、この図１０に示す支持台１７は、図９に示すように傾斜させた撹拌槽１１の下側に置く「枕」のようなものである。図１１に示す例では、図１０に示した支持台１７を大きくして、撹拌槽１１の全体を傾斜状態で支持できるようにしたものである。これら図１０及び図１１に示した例では、底壁１２を撹拌槽１１に対して直交状態で取り付ければよいから、支持台１７を用意するという簡単なことで、底壁１２を傾斜状態にできる。
【００４５】
図１２に示す例は、底壁１２を撹拌槽１１に対して傾斜状態で固定するようにしたもので、取出口１６はこの底壁１２の最下端に位置するようにしてある。そして、図１３では、取出口１６を中央に設けたものを例示しているから、底壁１２は中央に向けて「ロート」状になっているものである。
【００４６】
このように、底壁１２を取出口１６に向けて下方に傾斜させたものとすれば、撹拌槽１１内の建築用スラリー状物２０は、撹拌槽１１全体を傾けなくても、最後のものまで取出口１６に送られることになる。
【００４７】
従って、この請求項６の建築用スラリー状物供給装置１０は、請求項５のそれと同様な機能を発揮する他、最後の建築用スラリー状物２０まで圧送機１４による給送が行えるものとなっているのである。
【００４８】
そして、請求項７に係る発明の採った手段は、上記請求項５または請求項６のいずれかに記載の建築用スラリー状物供給装置１０について、
「取出口１６と圧送機１４、この圧送機１４とホース１５、またはこのホース１５と別のホース１５との接続を、両者間に、建築用スラリー状物２０の流動方向に対して小口径となる段差が生じないようにしたこと」
である。
【００４９】
すなわち、この請求項７の建築用スラリー状物供給装置１０では、図１４に示すように、取出口１６と圧送機１４、この圧送機１４とホース１５、またはこのホース１５と別のホース１５との接続を、両者間に、建築用スラリー状物２０の流動方向に対して小口径となる段差が生じないようにしたのである。段差が生じないようにするには、図１４の（ａ）または（ｂ）に示すように、まず、圧送機１４側の送出口１４ａの内径とホース１５の内径とを同じにしておき、送出口１４ａの外側にホース１５を嵌めるか（図１４のａの場合）、互いに接合させた送出口１４ａとホース１５との境界部分の外側に接続具１５ａを配置する（図１４のｂの場合）とよい。
【００５０】
このように、取出口１６と圧送機１４、この圧送機１４とホース１５、またはこのホース１５と別のホース１５との接続部分に段差が生じないようにしたのは、ホース１５内にスポンジ４０を挿入し、このスポンジ４０を撹拌槽１１内に入れた洗浄水によってホース１５の外に押し出して、このスポンジ４０の移動によるホース１５内の洗浄を確実に行いたいからである。
【００５１】
取出口１６と圧送機１４、この圧送機１４とホース１５、またはこのホース１５と別のホース１５との接続部分に段差が生じないようにしたことによって、図１４に示すように、洗浄水を圧送機１４によってホース１５側に圧送されるスポンジ４０は、ホース１５内のどこにも引っかかることがない。つまり、ホース１５内を清掃するためのスポンジ４０が洗浄水によりホース１５の出口側に円滑に押し出されるため、このスポンジ４０によって、ホース１５の内面の洗浄が問題なく行われるのである。
【００５２】
従って、この請求項７の建築用スラリー状物供給装置１０は、上記請求項５または３のそれと同様な機能お発揮する他、ホース１５内のスポンジ４０による清掃が確実に行えるものとなっているのである。
【発明の効果】
【００５３】
以上、説明した通り、請求項１〜請求項３に係る発明においては、
「天端レベリング材やモルタル等の建築用スラリー状物２０となる材料２１が投入される撹拌槽１１と、この撹拌槽１１の底壁１２に設けた撹拌機１３とを備えたこと」
にその構成上の主たる特徴があり、これにより、建築用スラリー状物２０を、機械的かつ自動的に生成できる建築用スラリー状物供給装置１０を提供することができるのである。
【００５４】
また、請求項４〜請求項７に係る発明においては、
「天端レベリング材やモルタル等の建築用スラリー状物２０となる材料２１が投入される撹拌槽１１と、この撹拌槽１１の底壁１２に設けた撹拌機１３と、撹拌された建築用スラリー状物２０を外部へ圧送する圧送機１４と、この圧送機１４に接続されて建築用スラリー状物２０を所定箇所に送り出すホース１５とを備えたこと」
にその構成上の主たる特徴があり、これにより、建築用スラリー状物２０を、機械的かつ自動的に生成できるだけでなく、生成後短時間内に施工場所への搬送も行うことができる建築用スラリー状物供給装置１０を提供することができるのである。
【発明を実施するための最良の形態】
【００５５】
次に、以上のように構成した請求項１〜請求項３に係る発明を、図面に示した最良の形態である建築用スラリー状物供給装置１０について説明すると、図１〜図６には、本発明の第１実施例に係る建築用スラリー状物供給装置１０の正面図が示してある。この建築用スラリー状物供給装置１０は、天端レベリング材やモルタル等の建築用スラリー状物２０となる材料２１が投入される撹拌槽１１と、この撹拌槽１１の底壁１２に設けた撹拌機１３とを備えている。
【００５６】
この建築用スラリー状物供給装置１０を構成している図１に示した撹拌槽１１は、図１にも示したように、底上げした底壁１２を有した「ドラム缶」のような円筒形状のものであるが、浴槽のような四角形状のものであってもよい。勿論、この建築用スラリー状物供給装置１０によって生成すべき建築用スラリー状物２０内にはセメントが含まれていることが多いことから、このセメントが硬化してこびり付いても簡単に除去できるようにすべく、当該撹拌槽１１を金属や合成樹脂によって形成するのがよい。
【００５７】
本最良形態で、底壁１２を底上げしたのは、これによって形成された底壁１２下の空間内に、後述する撹拌機１３を収納して全体をコンパクトなものとするためである。勿論、この底壁１２より下側に位置する撹拌槽１１は、当該建築用スラリー状物供給装置１０の「脚」となるだけでなく、この撹拌機１３のためのカバーになることは言うまでもない。
【００５８】
この撹拌槽１１の底壁１２は、一般的には単純な平らなものとして形成しても十分であるが、これに取出口１６を形成しておくと有利である。そして、この底壁１２が平らなものである場合には、撹拌槽１１内の建築用スラリー状物２０が少なくなってきたときに、この撹拌槽１１全体を取出口１６が下になるようにして傾斜させればよい。
【００５９】
また、撹拌槽１１内の建築用スラリー状物２０が少なくなってきたときの作業性を向上させるために、図３に示したように、撹拌槽１１の取出口１６とは反対側になる部分の下側に配置される小さい支持台１７を使用するとよい。また、図４に示したように、図３に示した支持台１７を大きくして、撹拌槽１１の全体を傾斜状態で支持できるようにしてもよい。これら図３及び図４に示した例では、底壁１２を撹拌槽１１に対して直交状態で取り付ければよいから、支持台１７を用意するという簡単なことで、底壁１２を傾斜状態にできる。
【００６０】
図５に示した例は、底壁１２を撹拌槽１１に対して傾斜状態で固定するようにしたもので、取出口１６はこの底壁１２の最下端に位置するようにしてある。そして、図６では、底壁１２そのものを「ロート状」に形成するととともに、この底壁１２の一番下方になる部分に取出口１６を形成するようにしたものである。このようにすれば、生成した建築用スラリー状物２０の最後のものまで確実に取出口１６内に落とすことができるのである。
【００６１】
撹拌機１３は、建築用スラリー状物２０を生成すべく、撹拌槽１１内に投入した材料をかき混ぜるものであり、本最良形態では、図１〜図６に示したように、撹拌槽１１に底壁１２の外側に取り付けたモータと、このモータの駆動軸に連結されて、撹拌槽１１内に配置される撹拌翼とからなっているものである。つまり、この撹拌機１３は、底壁１２の直上で、撹拌槽１１内に投入された材料を混合するものである。なお、底壁１２が図６に示したようなロート状のものであって、その中心に取出口１６を設けるものである場合には、この撹拌機１３はこの取出口１６を避けた位置に取り付けられる。
【００６２】
さらに、請求項４〜請求項７に係る発明を、図面に示した最良の形態である建築用スラリー状物供給装置１０について説明すると、図７には、第２実施例に係る建築用スラリー状物供給装置１０の正面図が示してある。この建築用スラリー状物供給装置１０は、天端レベリング材やモルタル等の建築用スラリー状物２０となる材料２１が投入される撹拌槽１１と、この撹拌槽１１の底壁１２に設けた撹拌機１３と、撹拌された建築用スラリー状物２０を外部へ圧送する圧送機１４と、この圧送機１４に接続されて建築用スラリー状物２０を所定箇所に送り出すホース１５とを備えている。
【００６３】
この建築用スラリー状物供給装置１０を構成している図７に示した撹拌槽１１は、図８及び図９にも示したように、底上げした底壁１２を有した「ドラム缶」のような円筒形状のものであるが、浴槽のような四角形状のものであってもよい。勿論、この建築用スラリー状物供給装置１０によって生成すべき建築用スラリー状物２０内にはセメントが含まれていることが多いことから、このセメントが硬化してこびり付いても簡単に除去できるようにすべく、当該撹拌槽１１を金属や合成樹脂によって形成するのがよい。
【００６４】
本最良形態で、底壁１２を底上げしたのは、これによって形成された底壁１２下の空間内に、後述する撹拌機１３や圧送機１４を収納して全体をコンパクトなものとするためである。勿論、この底壁１２より下側に位置する撹拌槽１１は、当該建築用スラリー状物供給装置１０の「脚」となるだけでなく、これらの撹拌機１３や圧送機１４のためのカバーになることは言うまでもない。
【００６５】
この撹拌槽１１の底壁１２は、一般的には、図８に示したように、単純な平らなものとして形成しても十分であるが、これに取出口１６を形成しておくと有利である。そして、この取出口１６の近傍に、後述する圧送機１４の吸引口を接続すれば、圧送機１４によって、撹拌槽１１内で生成された建築用スラリー状物２０をこの取出口１６から直接吸引することができる。この底壁１２が平らなものである場合には、撹拌槽１１内の建築用スラリー状物２０が少なくなってきたときに、図７中の仮想線及び図９に示したように、この撹拌槽１１全体を取出口１６が下になるようにして傾斜させればよい。
【００６６】
また、撹拌槽１１内の建築用スラリー状物２０が少なくなってきたときの作業性を向上させるために、図１０に示したように、撹拌槽１１の取出口１６とは反対側になる部分の下側に配置される小さい支持台１７を使用するとよい。また、図１１に示したように、図１０に示した支持台１７を大きくして、撹拌槽１１の全体を傾斜状態で支持できるようにしてもよい。これら図１０及び図１１に示した例では、底壁１２を撹拌槽１１に対して直交状態で取り付ければよいから、支持台１７を用意するという簡単なことで、底壁１２を傾斜状態にできる。
【００６７】
図１２に示した例は、底壁１２を撹拌槽１１に対して傾斜状態で固定するようにしたもので、取出口１６はこの底壁１２の最下端に位置するようにしてある。そして、図１３では、底壁１２そのものを「ロート状」に形成するととともに、この底壁１２の一番下方になる部分に取出口１６を形成するようにしたものである。このようにすれば、生成した建築用スラリー状物２０の最後のものまで確実に取出口１６内に落とすことができるのである。
【００６８】
勿論、この底壁１２は、「ロート状」に形成する他、上述したように、支持台１７を使用して単純に傾斜させるだけでもよく、撹拌槽１１に対して最初から傾斜状に設けておけばよく、その場合には、この底壁１２の最下方に位置する部分に取出口１６を形成するとよい。
【００６９】
撹拌機１３は、建築用スラリー状物２０を生成すべく、撹拌槽１１内に投入した材料をかき混ぜるものであり、本最良形態では、図８〜図１３に示したように、撹拌槽１１に底壁１２の外側に取り付けたモータと、このモータの駆動軸に連結されて、撹拌槽１１内に配置される撹拌翼とからなっているものである。つまり、この撹拌機１３は、底壁１２の直上で、撹拌槽１１内に投入された材料を混合するものである。なお、底壁１２が図１３に示したようなロート状のものであって、その中心に取出口１６を設けるものである場合には、この撹拌機１３はこの取出口１６を避けた位置に取り付けられる。
【００７０】
圧送機１４は、その吸引口が上記取出口１６に接続されて、送出口１４ａには、図１４に示したように、ホース１５が接続されるものであり、内部の回転翼またはスクリューによって、撹拌槽１１内の建築用スラリー状物２０を取出口１６からホース１５に圧送するものである。つまり、この圧送機１４は、「チューブポンプタイプ」の小型の生コンポンプである。
【００７１】
この圧送機１４の送出口１４ａには、図１４に示したように、ホース１５が接続されるのであるが、図１４に示したように、この圧送機１４とホース１５との接続は、両者間に、建築用スラリー状物２０の流動方向に対して小口径となる段差が生じないようにしてある。すなわち、これらの接続は、図１４の（ａ）または（ｂ）に示したように、まず、圧送機１４側の送出口１４ａの内径とホース１５の内径とを同じにしておき、送出口１４ａの外側にホース１５を嵌めるか（図１４のａの場合）、互いに接合させた送出口１４ａとホース１５との境界部分の外側に接続具１５ａを配置して（図１４のｂの場合）なされる。なお、このホース１５に別のホース１５を接続する場合にも同様になされる。
【００７２】
このように、圧送機１４とホース１５、またはこのホース１５と別のホース１５との接続部分に段差が生じないようにしたことによって、図１４に示したように、洗浄水を圧送機１４によってホース１５側に圧送されるスポンジ４０は、ホース１５内のどこにも引っかかることがない。つまり、ホース１５内を清掃するためのスポンジ４０が洗浄水によりホース１５の出口側に円滑に押し出されるため、このスポンジ４０によって、ホース１５の内面の洗浄が問題なく行われるのである。
【００７３】
さて、この建築用スラリー状物供給装置１０を使用するには、図８に示したように、まず、その撹拌槽１１内に所定量の水を張っておき、外からセメントあるいはセルフレベリング材組成物等の材料２１をこの撹拌槽１１内に投入する。そして、撹拌機１３を作動させて、これらの材料２１を混合して建築用スラリー状物２０を生成するのである。
【００７４】
この建築用スラリー状物２０の生成が十分になされた頃を見計らって、図７にも示したように、ホース１５の先端を基礎コンクリート３０上等の施工場所に向けておき、圧送機１４を作動させる。このとき、撹拌機１３な作動させたままでもよいし、停止させても良いが、基礎コンクリート３０を形成している型は取り外さないでおく。型が存在していることにより、基礎コンクリート３０上に建築用スラリー状物２０を流し込むための型に囲まれた空間ができるからである。
【００７５】
当該建築用スラリー状物供給装置１０の底壁１２が水平状のもので、この基礎コンクリート３０上へ打設されるべき建築用スラリー状物２０が少なくなってくれば、図７中の仮想線または図９に示したように、当該建築用スラリー状物供給装置１０の全体を、その取出口１６が下になるようにしながら傾ける。これによって、残り少なくなった建築用スラリー状物２０は、取出口１６に向けて流れるから、建築用スラリー状物２０は最後のものまでホース１５から基礎コンクリート３０上に供給されることになる。
【００７６】
勿論、底壁１２が、図１３に示したような取出口１６に向けて傾斜するものである場合には、建築用スラリー状物供給装置１０全体を傾斜させなくても、底壁１２自身が傾斜しているから、残り少なくなった建築用スラリー状物２０は取出口１６に向けて全部流れ込むことになる。
【００７７】
例えば、基礎コンクリート３０畝への建築用スラリー状物２０の打設が済めば、この建築用スラリー状物供給装置１０の洗浄を行わなければならないが、この洗浄は、水のみを撹拌槽１１内に入れて圧送機１４を作動させればよい。なお、このときに、撹拌機１３をも作動させれば、撹拌槽１１内の洗浄を効果的に行えることはいうまでもない。
【００７８】
この洗浄時において、本発明に係る建築用スラリー状物供給装置１０においては、圧送機１４とホース１５、またはこのホース１５と別のホース１５との接続部分に段差が生じないようにしてあったから、図７４に示したように、洗浄水を圧送機１４によってホース１５側に圧送されるスポンジ４０は、ホース１５内のどこにも引っかかることがない。つまり、ホース１５内を清掃するためのスポンジ４０が洗浄水によりホース１５の出口側に円滑に押し出されるため、このスポンジ４０によるホース１５の内面の洗浄が問題なく行われる。
【図面の簡単な説明】
【００７９】
【図１】本発明に係る建築用スラリー状物供給装置によって建築用スラリー状物を生成している様子を示す縦断面図である。
【図２】同建築用スラリー状物供給装置の他の縦断面図である。
【図３】小型の支持台によって傾斜させた建築用スラリー状物供給装置の縦断面図である。
【図４】図３に示したものより少し大型の支持台によって傾斜させた建築用スラリー状物供給装置の縦断面図である。
【図５】底壁を傾斜状態で撹拌槽に取り付けた建築用スラリー状物供給装置の縦断面図である。
【図６】底壁を傾斜状態で撹拌槽に取り付けた建築用スラリー状物供給装置の他の実施例を示す縦断面図である。
【図７】本発明に係る建築用スラリー状物供給装置によって基礎コンクリート上に建築用スラリー状物を打設している様子を示す正面図である。
【図８】立てたままの同建築用スラリー状物供給装置の縦断面図である。
【図９】傾斜させたときの同建築用スラリー状物供給装置の縦断面図である。
【図１０】小型の支持台によって傾斜させた建築用スラリー状物供給装置の縦断面図である。
【図１１】図に示したものより少し大型の支持台によって傾斜させた建築用スラリー状物供給装置の縦断面図である。
【図１２】底壁を傾斜状態で撹拌槽に取り付けた建築用スラリー状物供給装置の縦断面図である。
【図１３】同建築用スラリー状物供給装置のたの実施例を示す縦断面図である。
【図１４】本発明に係る建築用スラリー状物供給装置の送出口にホースを接続している様子を示すもので、（ａ）はホースを送出口接続具の外側に嵌め込んだときの部分拡大縦断面図、（ｂ）は接続具を使用して送出口とホースとを接続したときの部分拡大縦断面図である。
【図１５】従来の技術を示す部分斜視図である。
【符号の説明】
【００８０】
１０    建築用スラリー状物供給装置
１１    撹拌槽
１２    底壁
１３    撹拌機
１３ａ  羽根
１４    圧送機
１４ａ  送出口
１５    ホース
１５ａ  接続具
１６    取出口
１７    支持台
２０    建築用スラリー状物
２１    材料
３０    基礎コンクリート
４０    スポンジ
【図１】
2009041330.tif 000003
【図２】
2009041330.tif 000004
【図３】
2009041330.tif 000005
【図４】
2009041330.tif 000006
【図５】
2009041330.tif 000007
【図６】
2009041330.tif 000008
【図７】
2009041330.tif 000009
【図８】
2009041330.tif 000010
【図９】
2009041330.tif 000011
【図１０】
2009041330.tif 000012
【図１１】
2009041330.tif 000013
【図１２】
2009041330.tif 000014
【図１３】
2009041330.tif 000015
【図１４】
2009041330.tif 000016
【図１５】
2009041330.tif 000017